(57)【要約】【課題】長時間靴を履いていても、足に与える疲労感、障害等悪影響を軽減する靴の提供。【解決手段】靴底１と、中底２と、中敷３と、甲皮４とから主として構成される靴において、靴底の土踏まず部分に対応する側面に、アーチ状の回内位防止部材（６）を靴底（２）と一体に立ち上げ、回内位防止部材（６）と対向する側面に回外位防止部材（８）を靴底（２）と一体に立ち上げ、中敷（３）は、その表面において、母趾の付け根部分にその形状に合わせたボールジョイント対応部（１１）を穿設し、中足骨骨頭に対応する個所を幾分高く盛り上げて中足骨骨頭バー（１２）を形成した構造にし、土踏まず部分に対応する側面にアーチ状の立ち上げ部分（９）を中敷本体と一体に立設し、中敷（３）の裏面において、土踏まず部分に対応する個所に土踏まず部分を投影した形状の凹陥部を穿設し、凹陥部に凹陥部と同一形状で中敷より低硬度のクッション材（１０）を嵌入した構造にする。【選択図】図１
2004290642.tif 000002
【特許請求の範囲】
【請求項１】
靴底と、中底と、中敷と、甲皮とから主として構成される靴であって、
（イ）靴底の土踏まず部分に対応する側面に、アーチ状の回内位防止部材を靴底と一体に立ち上げ、前記回内位防止部材と対向する側面に回外位防止部材を靴底と一体に立ち上げ、
（ロ）中敷は、その表面において、母趾の付け根部分にその形状に合わせたボールジョイント対応部を穿設し、中足骨骨頭に対応する個所を幾分高く盛り上げて中足骨骨頭バーを形成した構造にし、土踏まず部分に対応するの側面にアーチ状の立ち上げ部分を中敷本体と一体に立設し、中敷の裏面において、土踏まず部分に対応する個所に土踏まず部分を投影した形状の凹陥部を穿設し、凹陥部に凹陥部と同一形状で中敷より低硬度のクッション材を嵌入した構造にしてあることを特徴とする靴。
【請求項２】
回内位防止部材と、靴底の足裏が接する面が成す角度が、１２０度〜１３０度の範囲であることを特徴とする請求項１に記載の靴。
【請求項３】
靴底と回内位防止部材及び回外位防止部材の硬度が、ＪＩＳ−Ａ型硬度計で測定して４０〜７０度の範囲にあることを特徴とする請求項１または２に記載の靴。
【請求項４】
ＪＩＳ−Ａ型硬度計で測定して、中敷本体の硬度が２０〜４０度の範囲で、クッション材の硬度が５〜１５の範囲であることを特徴とする請求項１〜３もいずれか１項に記載の靴。
【発明の詳細な説明】
【０００１】
【産業上の利用分野】
本発明は靴に関する。本発明による靴は、長時間履いていても足に過度の疲労感や違和感を与えないので、たとえばデパート或いは各種小売店における対面販売従事者、スチュワーデス或いは列車内のワゴンセールス従事者、医者、看護婦等医療業者、福祉介護従事者、婦人警官等勤務時間中スリッパやサンダル等楽な履物に履き替えることができない勤労者の使用に適している。
【０００２】
【従来技術の説明】
たとえば各種小売店における対面販売従事者、列車内のワゴンセールス従事者、医者、看護婦等医療業者、福祉介護従事者、婦人警官等は、主として、身体安全や、顧客に好印象を与えなければならないという理由から、勤務時間中靴を脱ぐことがない。
【０００３】
また、ホテル、レストラン、百貨店、高級専門店等の店員は、或いはスチュワーデスは、主として顧客に好印象を与えなければならないという理由から、ハイヒールを履いたまま長時間勤務していることがある。
【０００４】
前述した業種に勤務する勤労者は、主として女性が多く、その勤務時間も最低でも８時間に及ぶことがある。その業務形態も、デスクワークが主体の通常の事務職とは異なり、長時間の立ち作業、歩行による移動、重量物の運搬、不自然な姿勢等が要求される。
【０００５】
上述した職種に携わる勤労者は、自分の着慣れた服、或いは履き慣れた靴を使用することができず、いわゆる企業から支給される制服、靴を着用することが義務づけられている。支給される靴も、足長の大まかな寸法を基準にして選択する以外になく、足囲、即ち母趾の付け根の出っ張りから小趾の付け根の出っ張りからまでの周囲長等私用の靴を選択する際の要素を考慮することができない。私用の靴を選択する場合、たとえば、足長２４ｃｍの靴の場合、足囲は、Ａ，Ｂ，Ｃ，Ｄ，Ｅの５通りから、さらにＥは、Ｅ，ＥＥ，ＥＥＥ，ＥＥＥＥと大きくなる採寸方法が採用されているが、制服用の靴の場合は、このような採寸方法は全く考慮されていない。ましてや、足の形状、甲の高さ等は一切考慮されていない。
【０００６】
その結果、制服用の靴として、足長、足囲共に実際の長さより小さな靴、或いは足に合わない靴を選択しがちである。このように足に合わない靴を長時間履いていると、先ず、母趾の付け根の出っ張りと、小趾の付け根の出っ張りが痛みだし、次いで中足骨骨頭部が、さらに、距骨と踵骨と舟状骨の関節部位、即ち、距骨下三関節が痛み出す。その結果、膝が痛みだし、起立時の姿勢が不自然になり、或いは体重移動が不自然になり、腰椎の痛みを引き起こす。
【０００７】
また、上述したような職種の勤労者は、作業中に不自然な立位姿勢や体重移動を要求されることが多く、その結果、内股になり、どうしても内回位、即ち、足が母趾側に傾き勝ちになる。足が母趾側に傾くと、距骨、踵骨、舟状骨、第１楔状骨、及び第１中足骨から形成されているアーチ状の内側長軸円蓋、俗に「土踏まず」と言われている部分が低下する。以下、本発明では、距骨、踵骨、舟状骨、第１楔状骨、及び第１中足骨から形成されているアーチ状の内側長軸円蓋を「土踏まず」と呼称する。
【０００８】
人が起立位にあるときは、体重が足に負荷され、ゆっくりと歩行する時は体重の２０％増加、急速歩行の時は体重の３０％増加した分が負荷されると言われている。アーチ状の土ふまず部分は、歩行時に足に負荷される衝撃を吸収し、足全体で衝撃を受けるのを防止する、いわゆる衝撃吸収材としての機能をもっている。
【０００９】
衝撃吸収材としての土踏まず部分が低下すると、歩行時の衝撃が足全体に負荷され、その結果、疲労が増幅されることになる。
【００１０】
長時間同じ靴を履くこと、或いは制服用として足に合わない支給靴を履くことが足に与える悪影響は前述した通りである。
【００１１】
【発明が解決しようとする課題】
発明が解決しようとする課題は、長時間同じ靴を履かざるを得ない人、或いは足に合わない支給靴を履くことを要求される人の靴が足に与える疲労感等悪影響を軽減することである。
【００１２】
発明が解決しようとする別の課題は、長時間同じ靴を履いていても、或いは支給靴を履いている人の母趾の付け根の出っ張りと、小趾の付け根の出っ張り、中足骨骨頭部が、さらに、距骨と踵骨と舟状骨の関節部位、即ち、距骨下三関節が痛むのを軽減することである。
【００１３】
発明が解決しようとするさらに別の課題は、長時間同じ靴を履いていても、或いは支給靴を履いている人の、土踏まず部分低下するのを防止し、疲労感が増幅するのを防ぐことである。
【００１４】
本発明が解決しようとするその他の課題及び利点は以下逐次明らかにされる。
【課題を解決するための手段】
上記課題を解決するための本発明者は、靴底と、中底と、中敷と、甲皮とから主として構成される靴であって、（イ）靴底の土踏まず部分に対応する側面に、アーチ状の回内位防止部材を靴底と一体に立ち上げ、前記回内位防止部材と対向する側面に回外位防止部材を靴底と一体に立ち上げ、（ロ）中敷は、その表面において、母趾の付け根部分にその形状に合わせたボールジョイント対応部を穿設し、中足骨骨頭に対応する個所を幾分高く盛り上げて中足骨骨頭バーを形成した構造にし、土踏まず部分に対応するの側面にアーチ状の立ち上げ部分を中敷本体と一体に立設し、中敷の裏面において、土踏まず部分に対応する個所に土踏まず部分を投影した形状の凹陥部を穿設し、凹陥部に凹陥部と同一形状で中敷より低硬度のクッション材を嵌入した構造にしてあることを特徴とする靴である。
【００１５】
【実施例】
以下添付図面を参照して本発明の実施例を説明する。
図１は、本発明の実施例の分解斜視図である。図２は、本発明の実施例の靴底の断面図である。図３は、本発明の実施例の中敷の土踏まず側から見た側面図である。図４は、本発明の実施例の中敷の底面図である。
【００１６】
図１に示すように、本発明の靴は、靴底１と、中底２と、中敷３と、甲皮４とから主として構成される。
【００１７】
靴底１は、エチレン−酢酸ビニル共重合（ＥＶＡ）、ポリウレタン、或いはゴム等任意の材料から射出成形法あるいは加硫成形法により製造される。どのような材料を選択するかは、主として靴の用途、製造コスト等を勘案して決定される。
【００１８】
靴底１の面５は、ほぼ平坦面に形成する。従来技術の中には、靴底１の面５を、足裏の解剖学的構造に合わせた形状にしたものがあるが、本発明の靴は、靴底１の上に、中底２と中敷３が積層されるので、そのような形状にすることは全く意味がない。
【００１９】
靴底１のアーチ状の土踏まず部分に対応する側面には、所定の形状の回内位防止部材６を靴底１と一体に立設する。回内位防止部材６の最大高さは、平均的な靴サイズである２３．５ｃｍの場合で、約２ｃｍである。
【００２０】
回内位防止部材６は、長時間履いていても足が母趾側に向くのを防止し、足の土踏まずが垂下するのを防止する機能がある。
【００２１】
回内位防止部材６の外表面には着色、或いは凹凸模様等各種形状の模様、若しくはそれらの組合せによる各種意匠模様７を施すことにより靴底１の側面に意匠効果を与えることができる。
【００２２】
前記回内位防止部材６と対向する側面に回外位防止部材８を靴底と一体に立ち上げる。回外位防止部材８は、足が外側に向くのを防止する機能がある。
【００２３】
回内位防止部材６と回外位防止部材８を靴底と一体に立設することにより、足の回内位と回外位を防止して、常に足を正常な位置に確保し、体重を正常な状態で支持することができる。
【００２４】
靴底１の硬度は、ＪＩＳ−Ａ型硬度計で測定して４０〜７０度の範囲が好ましい。従って、靴底１と一体に立設される回内位防止部材６及び回外位防止部材８の硬度も、靴底１と同じ硬度である。
【００２５】
回内位防止部材６と、靴底１の靴底１の底面５が成す角度αは、１２０度〜１３０度の範囲が好ましい。換言すれば、回内位防止部材６の立ち上げ角度は１２０度〜１３０度の範囲である。この立ち上げ角度αは、アーチ状の土踏まずに沿って引いた接線と、靴底１の底面５とが形成する角度に概ね等しい。立ち上げ角度が１２０度以下の場合、日本の女性の平均的なサイズより小さくなり、締め付ける感じになるので、好ましくない。逆に、立ち上げ角度が１３０度以上の場合、緩すぎて、回内位防止機能が低下するので好ましくない。
【００２６】
図１において２は中底である。中底２の材料は、趾の付け根の踏みつけ部から踵まで足裏を確実に支持し、吸湿性と寸法安定性に優れた材料ならば特段に限定されないが、たとえば、不織布が好ましい。
【００２７】
図１において３は、中敷の斜視図である。図３は、その側面図、図４は、その底面図である。中敷３は、カップインソールとも言われていて、取り替え可能で、通常は歩行時のショックを吸収し、歩行感をよくするためのものである。
【００２８】
本発明では、中敷の構造を独特の解剖学的構造とすることによって、中敷本来の機能の他に、長時間履いていても、母趾の付け根の出っ張りと、小趾の付け根の出っ張り、中足骨骨頭部が、さらに、距骨と踵骨と舟状骨の関節部位、即ち、距骨下三関節が痛むのを軽減し、合わせて、アーチ状の土踏まず部分が低下するのを防止する機能を持たせたことを特徴とするものである。
【００２９】
本発明に従って、中敷３は、その表面を足裏の解剖学的構造に形成する。表面を足裏の解剖学的構造に形成するということを、具体的にいえば、ボールジョイント１１（母趾の付け根）部分をその形状に合わせて穿設し、中足骨骨頭に対応する個所を幾分高く盛り上げて中足骨骨頭バー１２を形成した構造にし、それらの個所に負荷される衝撃を緩和し、土踏まず部分に中敷本体３と一体にアーチ状の立ち上げ部分９を形成して足の回内位を、靴底１の回内位防止部材６と相乗的に増加させ、中敷の裏面において、土踏まずの対応個所に土踏まず部分を投影した形状の凹陥部を穿設し、凹陥部に凹陥部と同一形状で中敷より低硬度のクッション材１０を嵌入した構造にすることである。
【００３０】
中敷３の本体３とアーチ状の立ち上げ部分９は、同一材料で同一硬度に製造する。中敷本体３の材料は、ＪＩＳ−Ａ型硬度計で測定して２０〜４０度の範囲の硬度に製造できれば、特段に限定されない。すなわち、ポリウレタン、ＥＶＡ、ゴム等任意の材料から選択される。
【００３１】
中敷３の硬度が２０度以下の場合は、柔軟性は高くなるが、アーチ状の立ち上げ部分９の形状保持性が低くなり、立ち上げ部分９本来の機能である足の回内位を防止する機能、及び土踏まずの低下を防止する機能が低下する。逆に、中敷３の硬度が４０度以上の場合は、アーチ状の立ち上げ部分９の形状保持性は大きくなり立ち上げ部分９本来の機能である足の回内位を防止する機能、及び土踏まず部分が低下するのを防止する機能は高くなるが、中敷の重要な機能であるクッション効果が低下するので歩行時の衝撃吸収力が低下する。
【００３２】
本発明に従って、中敷３の裏面において、土踏まず部分を投影した形状の所定の深さの凹陥部を穿設し、凹陥部に凹陥部と同一形状で中敷より低硬度のクッション材１０を嵌入した構造にする。
【００３３】
中敷き３の裏面の凹陥部に嵌め込むクッション材１０の材料は、ＪＩＳ−Ａ型硬度計で測定して５〜１５度の範囲の硬度に製造できれば、特段に限定されない。すなわち、ポリウレタン、ＥＶＡ、ゴム等任意の材料から選択される。重要なことは、中敷き３の硬度を、中敷３本体の硬度より２５〜８０％低くすることである。
【００３４】
クッション材１０は、中敷き３の裏面に土踏まず部分を投影した形状に穿設された凹部に嵌め込まれていて、土踏まず部分を下から支えて、土踏まず部分が低下するのを防止すると共に、一種のクッション効果を奏功して土踏まず部分のクッション効果を補強するものである。そのためにも、クッション材の強度は、ＪＩＳ−Ａ型硬度計で測定して５〜１５度の範囲が好ましい。クッション材の硬度が５度以下の場合、クッション効果は得られるが、土踏まず部分を下から支えて、土踏まず部分が低下するのを防止する機能は低下する。逆に、クッション材の硬度が１５度以上の場合、土踏まず部分を下から支えて、土踏まず部分が低下するのを防止する機能は高くなるが、クッション効果は低下する。
【００３５】
上述したように、中敷３は、その表面においては、母趾の付け根部分にボールジョイント対応部１１を穿設し、中足骨骨頭に対応する個所を幾分高く盛り上げた中足骨骨頭バー１２を形成した構造にし、それらの個所に負荷される衝撃を緩和し、土踏まず部分の側面に中敷本体３と一体にアーチ状の立ち上げ部分９を形成して足の回内位を防止し、中敷の裏面において、土踏まず部分を投影した形状の凹陥部を穿設し、凹陥部に凹陥部と同一形状で中敷より低硬度のクッション材１０を嵌入した構造にして、土踏まず部分の低下を防止するようにしてある。
【００３６】
４は甲皮で任意の意匠及び材料を選択することができる。
【００３７】
本発明において、靴底１と甲皮４の接合方法は特段に限定されない。射出成形による一体成形、或いは手貼による接合等、材料、意匠、コスト等を勘案して任意に選択できる。
【００３８】
【発明の効果】
請求項１に記載した発明により、長時間履いていても、母趾の付け根の出っ張りと、小趾の付け根の出っ張り、中足骨骨頭部、距骨と踵骨と舟状骨の関節部位、即ち、距骨下三関節が痛くなるのが軽減され、土踏まず部分の低下が防止され、疲労しない靴が提供される。
【００３９】
請求項２に記載した発明により、日本の女性の足のほぼ１００％の足に対応できる。
【００４０】
請求項３に記載した発明により、靴底と回内位防止部材及び回外位防止部材が、靴底と同じ硬度で靴底と一体に立設されているので、靴底本体、回内位防止部材及び回外位防止部材の間の境界面において応力偏在を起こすことなく、足の回内位と回外位を防止して、常に足を正常な位置に確保し、体重を正常な状態で支持することができる。
【００４１】
請求項４に記載した発明により、中敷本体の本来の機能であるクッション効果が補強されると同時に、土踏まず部分を下から支えて低下するのを防止する機能が確保される。
【図面の簡単な説明】
【図１】本発明の靴の１実施例の分解斜視図である。
【図２】本発明の靴底の断面図である。
【図３】本発明の中敷の側面図である。
【図４】本発明の中敷の底面図である。
【符号の説明】
１    靴底
２    中底
３    中敷
４    甲皮
５    靴底表面
６    回内位防止部材
７    意匠
８    回外位防止部材
９    中敷立ち上げ部
１０  クッション材
１１  ボールジョイント対応部
１２  中足骨骨頭バー
α    回内位防止部材と靴底表面の生成角度
【図１】
2004290642.tif 000003
【図２】
2004290642.tif 000004
【図３】
2004290642.tif 000005
【図４】
2004290642.tif 000006